(57)【要約】【課題】  本発明は大きな設置スペースが必要なく、見たい人が引き出して見ることができ、楽しく使用することができる販売促進用ＰＯＰ装置およびＰＯＰシートを得るにある。【解決手段】  商品陳列棚、この商品陳列棚に固定される支持部材、ＰＯＰ表示体等のＰＯＰ支持部材と、このＰＯＰ支持部材に一端部が回転部材によって回転可能あるいは固定的に取付けられた、筒状に自動的に巻き付く弾性が付与されたＰＯＰシートと、このＰＯＰシートの他端部に固定的あるいは回転部材によって回転可能に取付けられた引き出し用の取っ手部材とで販売促進用ＰＯＰ装置を構成している。【選択図】  図２
2009122583.tif 000002
【特許請求の範囲】
【請求項１】
商品陳列棚、この商品陳列棚に固定される支持部材、ＰＯＰ表示体等のＰＯＰ支持部材と、このＰＯＰ支持部材に一端部が回転部材によって回転可能あるいは固定的に取付けられた、筒状に自動的に巻き付く弾性が付与されたＰＯＰシートと、このＰＯＰシートの他端部に固定的あるいは回転部材によって回転可能に取付けられた引き出し用の取っ手部材とからなることを特徴とする販売促進用ＰＯＰ装置。
【請求項２】
回転部材はＰＯＰシートの一端部に固定された軸と、この軸の少なくとも両端部を回転可能に支持する支持部を有するＰＯＰ支持部材に固定された取付部材とで構成されていることを特徴とする請求項1記載の販売促進用ＰＯＰ装置。
【請求項３】
回転部材はＰＯＰシートの他端部に固定された軸と、この軸の少なくとも両端部を回転可能に支持する引き出し用の取っ手部材に形成された支持部とで構成されていることを特徴とする請求項１記載の販売促進用ＰＯＰ装置。
【請求項４】
販売促進用の文字や絵がプリントされた帯状のＰＯＰシートにおいて、自動的に巻き付き、ロール状となるように弾性が付与されていることを特徴とするＰＯＰシート。
【発明の詳細な説明】
【技術分野】
【０００１】
本発明はスーパーマーケットやコンビニエンスストア等のお店で販売促進用に使用される販売促進用ＰＯＰ装置およびＰＯＰシートに関する。
【背景技術】
【０００２】
従来の販売促進用ＰＯＰ装置は販売促進用の文字や絵がプリントされたＰＯＰシートを商品陳列棚に接着テープで取付けたり、ＰＯＰ表示体のＰＯＰ支持部材に取付けている。
【０００３】
このため、最低、ＰＯＰシートの大きさのスペースが必要となり、十分な設置スペースを確保することができなかったり、商品陳列棚の商品がＰＯＰシートによって隠れたりするという欠点があった。
また、平面的に展示されるだけで、面白味に欠けるという欠点があった。
【特許文献１】実用新案登録第３１１５６３３号
【発明の開示】
【発明が解決しようとする課題】
【０００４】
本発明は以上のような従来の欠点に鑑み、大きな設置スペースが必要なく、見たい人が引き出して見ることができ、楽しく使用することができる販売促進用ＰＯＰ装置およびＰＯＰシートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は商品陳列棚、この商品陳列棚に固定される支持部材、ＰＯＰ表示体等のＰＯＰ支持部材と、このＰＯＰ支持部材に一端部が回転部材によって回転可能あるいは固定的に取付けられた、筒状に自動的に巻き付く弾性が付与されたＰＯＰシートと、このＰＯＰシートの他端部に固定的あるいは回転部材によって回転可能に取付けられた引き出し用の取っ手部材とで販売促進用ＰＯＰ装置を構成している。
【０００７】
本発明は販売促進用の文字や絵がプリントされた帯状のＰＯＰシートにおいて、自動的に巻き付き、ロール状となるように弾性が付与されてＰＯＰシートを構成している。
【発明の効果】
【０００８】
以上の説明から明らかなように、本発明にあっては次に列挙する効果が得られる。
【０００９】
（１）商品陳列棚、この商品陳列棚に固定される支持部材、ＰＯＰ表示体等のＰＯＰ支持部材と、このＰＯＰ支持部材に一端部が回転部材によって回転可能あるいは固定的に取付けられた、筒状に自動的に巻き付く弾性が付与されたＰＯＰシートと、このＰＯＰシートの他端部に固定的あるいは回転部材によって回転可能に取付けられた引き出し用の取っ手部材とで構成されているので、通常時にはＰＯＰシートはＰＯＰシートの巻き付く弾性力によって筒状に巻き付いている。
このため、小さなスペースでも、ＰＯＰシートを引き出せるスペースがあれば設置することができる。
【００１０】
（２）前記（１）によって、筒状に巻き付いているＰＯＰシートを引き出してＰＯＰシートを見ることができ、楽しくＰＯＰシートを見ることができる。
【００１１】
（３）前記（１）によって、ＰＯＰシートを該ＰＯＰシートに付与された筒状に自動的に巻き付く弾性力によって収納できるので、特別な巻き取り装置が不要で、構造が簡単で、安価に製造することができる。
【００１２】
（４）請求項２、３も前記（１）〜（３）と同様な効果が得られるとともに、筒状に巻き付いたＰＯＰシートを容易に引き出すことができる。
【００１３】
（５）請求項４は通常時には筒状に巻き付き、見たい時には帯状にして見ることができるとともに、収納状態は自身に付与された自動的に巻き付く弾性力によってでき、販売促進用ＰＯＰ装置に使用するとコストの低減を図ることができる。
【発明を実施するための最良の形態】
【００１４】
以下、図面に示す本発明を実施するための最良の形態により、本発明を詳細に説明する。
【００１５】
図１ないし図７に示す本発明を実施するための最良の第１の形態において、１は商品陳列棚２に固定されて使用される本発明の販売促進用ＰＯＰ装置で、この販売促進用ＰＯＰ装置１は商品陳列棚２に固定される箱状のＰＯＰ支持部材３と、このＰＯＰ支持部材３内に一端部が固定された筒状に自動的に巻き付く弾性が付与された販売促進用の文字や絵がプリント４されたＰＯＰシート５と、このＰＯＰシート５の他端部に回転部材６によって回転可能に取付けられた引き出し用の取っ手部材７とで構成されている。
【００１６】
前記ＰＯＰ支持部材３は前面が開口８され上面に、前記ＰＯＰシート５の一端部が固定される箱状のＰＯＰ支持部材本体９と、このＰＯＰ支持部材本体９の底面の両端部寄りの部位に固定された商品陳列棚２の格子状の側板２ａ等に係止される係止金具１０、１０とで構成されている。
【００１７】
前記回転部材６は前記ＰＯＰシート５の他端部に固定された円筒状の軸１１と、この軸１１の両端部に回転可能に支持される、前記引き出し用の取っ手部材７に一体形成された支持部１２、１２とで構成されている。  
【００１８】
上記構成の販売促進用ＰＯＰ装置１はＰＯＰ支持部材３を商品陳列棚２に係止金具１０、１０によって固定して使用される。
ＰＯＰシート５を見たい人は引き出し用の取っ手部材７を引っ張ると、回転部材６の軸１１に巻き付いていたＰＯＰシート５を帯状に広げて、ＰＯＰシート５の販売促進用の文字や絵のプリント４を見ることができる。
見終わると、引き出し用の取っ手部材７を離すと、ＰＯＰシート５の巻き付く弾性力によって、軸１１に巻き付きながらＰＯＰ支持部材３内に引き出し用の取っ手部材７を残して収納される。
[発明を実施するための異なる形態]
【００１９】
次に、図８ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図８ないし図１０に示す本発明を実施するための第２の形態において、前記本発明を実施するための最良の第１の形態と主に異なる点は、商品陳列棚あるいはＰＯＰ表示体１３のバー部材１４に両面接着テープ１５でＰＯＰ支持部材３を固定した点で、このように構成した販売促進用ＰＯＰ装置１Ａにしても、前記本発明を実施するための最良の第１の形態と同様な作用効果が得られる。
【００２１】
図１１ないし図１３に示す本発明を実施するための第３の形態において、前記本発明を実施するための最良の第１の形態と主に異なる点は、ＰＯＰシート５の一端部を、回転部材６を介してＰＯＰ支持部材３内に回転可能に取付けるとともに、ＰＯＰシート５の他端部を引き出し用の取っ手部材７に固定した点で、このように構成した販売促進用ＰＯＰ装置１Ｂにしても、前記本発明を実施するための最良の第１の形態と同様な作用効果が得られる。
【００２２】
図１４ないし図１６に示す本発明を実施するための第４の形態において、前記本発明を実施するための最良の第１の形態と主に異なる点は、商品陳列棚２に置くことができる先端部に上方へ突出するストッパー兼表示部となる山形状の突出部１６を形成した、商品支持台となるＰＯＰ支持部材３Ａを用いるとともに、このＰＯＰ支持部材３Ａの突出部１６の内側にＰＯＰシート５の一端部を固定した点で、このように構成した販売促進用ＰＯＰ装置１Ｃにしても、前記本発明を実施するための最良の第１の形態と同様な作用効果が得られる。
【００２３】
図１７ないし図１９に示す本発明を実施するための第５の形態において、前記本発明を実施するための最良の第１の形態と主に異なる点は、商品陳列棚２に両面接着テープ１５で固定されるＰＯＰボードとしてのＰＯＰ支持部材３Ｂと、このＰＯＰ支持部材３Ｂの下端部にＰＯＰシート５の一端部を固定した点で、このように構成した販売促進用ＰＯＰ装置１Ｄにしても、前記本発明を実施するための最良の第１の形態と同様な作用効果が得られる。
【００２４】
図２０ないし図２２に示す本発明を実施するための第６の形態において、前記本発明を実施するための最良の第１の形態と主に異なる点は、ＰＯＰシート５の他端部に両端部が外方へ突出するような軸１７を固定するとともに、この軸１７の両端部を回転可能に支持する軸受状の支持部１２Ａ、１２Ａを引き出し用の取っ手部材７に取付けた回転部材６Ａを用いた点で、このような回転部材６Ａを用いて構成した販売促進用ＰＯＰ装置１Ｅにしても、前記本発明を実施するための最良の第１の形態と同様な作用効果が得られる。
【００２５】
なお、前記本発明を実施する形態では筒状の軸１１の両端部を回転可能に支持する支持部１２、１２を用いた回転部材について説明したが、筒状の軸１１を貫通する棒状の支持部を用いてもよい。
また、前記本発明を実施するための第３の形態ではＰＯＰシート５の他端部にＰＯＰシート５と一体形成した引き出し用の取っ手部材を形成してもよい。
【産業上の利用可能性】
【００２６】
本発明は販売促進用ＰＯＰ装置を製造する産業で利用される。
【図面の簡単な説明】
【００２７】
【図１】本発明を実施するための最良の第１の形態の設置状態の正面図。
【図２】本発明を実施するための最良の第１の形態の設置状態でのＰＯＰシートを引き出した状態の説明図。
【図３】本発明を実施するための最良の第１の形態の正面図。
【図４】本発明を実施するための最良の第１の形態の側面図。
【図５】本発明を実施するための最良の第１の形態の背面図。
【図６】本発明を実施するための最良の第１の形態のＰＯＰシートを引き出した状態の正面図。
【図７】図６の７−７線に沿う断面図。
【図８】本発明を実施するための第２の形態の設置状態の正面図。
【図９】本発明を実施するための第２の形態の設置状態のＰＯＰシートを引き出した状態の説明図。
【図１０】本発明を実施するための第２の形態のＰＯＰシートを引き出した状態の背面図。
【図１１】本発明を実施するための第３の形態の設置状態の正面図。
【図１２】本発明を実施するための第３の形態の設置状態のＰＯＰシートを引き出した状態の説明図。
【図１３】図１２の１３−１３線に沿う断面図。
【図１４】本発明を実施するための第４の形態の設置状態の正面図。
【図１５】図１４の１５−１５線に沿う断面図。
【図１６】本発明を実施するための第４の形態のＰＯＰシートを引き出した状態の説明図。
【図１７】本発明を実施するための第５の形態の設置状態の正面図。
【図１８】図１７の１８−１８線に沿う断面図。
【図１９】本発明を実施するための第５の形態のＰＯＰシートを引き出した状態の説明図。
【図２０】本発明を実施するための第６の形態の設置状態の正面図。
【図２１】図２０の２１−２１線に沿う断面図。
【図２２】本発明を実施するための第６の形態のＰＯＰシートを引き出した状態の説明図。
【符号の説明】
【００２８】
１、１Ａ、１Ｂ、１Ｃ、１Ｄ、１Ｅ：販売促進用ＰＯＰ装置、
２：商品陳列棚、
３、３Ａ、３Ｂ：ＰＯＰ支持部材、
４：プリント、                ５：ＰＯＰシート、            
６、６Ａ：回転部材、          ７：引き出し用の取っ手部材、
８：開口、                    ９：ＰＯＰ支持部材本体、
１０：係止金具、              １１：軸、
１２、１２Ａ：支持部、        １３：ＰＯＰ表示体、
１４：バー部材、              １５：両面接着テープ、
１６：突出部、                １７：軸。
【図１】
2009122583.tif 000003
【図２】
2009122583.tif 000004
【図３】
2009122583.tif 000005
【図４】
2009122583.tif 000006
【図５】
2009122583.tif 000007
【図６】
2009122583.tif 000008
【図７】
2009122583.tif 000009
【図８】
2009122583.tif 000010
【図９】
2009122583.tif 000011
【図１０】
2009122583.tif 000012
【図１１】
2009122583.tif 000013
【図１２】
2009122583.tif 000014
【図１３】
2009122583.tif 000015
【図１４】
2009122583.tif 000016
【図１５】
2009122583.tif 000017
【図１６】
2009122583.tif 000018
【図１７】
2009122583.tif 000019
【図１８】
2009122583.tif 000020
【図１９】
2009122583.tif 000021
【図２０】
2009122583.tif 000022
【図２１】
2009122583.tif 000023
【図２２】
2009122583.tif 000024